(57)【特許請求の範囲】
【請求項１】
軸線が上下方向である箸本体の下側の部分に食い先が設けられると共に、該箸本体の上側の部分に、上下方向に延長する嵌合凹部が設けられ、該嵌合凹部にスライド部材が嵌合可能となされており、該嵌合凹部側に第１磁性体が設けられると共に該スライド部材側に第２磁性体が設けられ、該第１磁性体及び該第２磁性体が相互に磁気吸引される箸において、該スライド部材のスライドにより箸置きを形成する箸における箸置き形成方法であって、
前記スライド部材が前記嵌合凹部に嵌合された状態で、前記スライド部材の上側部を前記嵌合凹部の底部の上側部に向けて押して、該スライド部材の下側部を該底部から浮き上がらせ、この浮き上がり状態における前記第２磁性体及び前記第１磁性体相互の磁気吸引力により、前記スライド部材を下方に向けてスライドさせ、該スライド部材の下端部分を前記嵌合凹部の下端部の縁部分に乗り上げ状態とし、該スライド部材の該乗り上げ状態を、前記第１磁性体及び前記第２磁性体相互の磁気吸引力を以て保持させることを特徴とする箸における箸置き形成方法。
【請求項２】
軸線が上下方向である箸本体の下側の部分に食い先が設けられると共に、該箸本体の上側の部分に、上下方向に延長する嵌合凹部が設けられ、該嵌合凹部にスライド部材が嵌合可能となされており、該嵌合凹部側に第１磁性体が設けられると共に該スライド部材側に第２磁性体が設けられ、該第１磁性体及び該第２磁性体が相互に磁気吸引される箸において、該スライド部材のスライドにより箸置きを形成する箸置き機能を有する箸であって、
前記スライド部材が前記嵌合凹部に嵌合された状態で、前記スライド部材の上側部を前記嵌合凹部の底部の上側部に向けて押すと、該スライド部材の下側部を該底部から浮き上がらせることができ、この浮き上がり状態における前記第１磁性体及び前記第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記第１磁性体及び前記第２磁性体相互の磁気吸引力を以て保持させ得ることを特徴とする箸置き機能を有する箸。
【請求項３】
軸線が上下方向である箸本体の下側の部分に食い先が設けられると共に、該箸本体の上側の部分に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、
前記嵌合凹部の前記底部の上端側に上の第１磁性体が設けられると共に、前記スライド部材の前記内方部の上端側には、該上の第１磁性体と相互に磁気吸引し得る上の第２磁性体が設けられており、
前記スライド部材が前記嵌合凹部に嵌合された状態で、前記上の第２磁性体が前記上の第１磁性体の稍上方に離間して設けられ、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記上の第１磁性体及び前記上の第２磁性体相互の磁気吸引力を以て保持される如くなされており、
又、前記スライド部材が前記嵌合凹部に嵌合された状態で、前記押し込み用間隙が存する部分で、前記スライド部材の上側部を前記嵌合凹部の前記底部の上側部に向けて押すと、前記スライド部材の前記下端部が前記嵌合凹部の下端部から外れるように、該スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、該上の第１磁性体及び該上の第２磁性体相互の磁気吸引力を以て保持させ得る如くなされており、
該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、
又、前記乗り上げ状態で前記スライド部材の前記下端部を上方に向けて押すことにより、該スライド部材が、上方に向けてスライドして前記嵌合凹部に嵌合状態となることを特徴とする箸置き機能を有する箸。
【請求項４】
軸線が上下方向である箸本体の下側の部分に食い先が設けられると共に、該箸本体の上側の部分に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、
前記嵌合凹部の前記底部の上端側に上の第１磁性体が設けられると共に、該底部の下端側に下の第１磁性体が設けられており、前記スライド部材の前記内方部の上端側には、前記上の第１磁性体と相互に磁気吸引し得る上の第２磁性体が設けられると共に、該内方部の下端側には、前記下の第１磁性体と相互に磁気吸引し得る下の第２磁性体が設けられており、
前記スライド部材が前記嵌合凹部に嵌合された状態で、前記上の第２磁性体が前記上の第１磁性体の上方に離間して設けられ、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記下の第１磁性体及び前記下の第２磁性体相互の磁気吸引力を以て保持される如くなされており、
又、前記スライド部材が前記嵌合凹部に嵌合された状態で、前記押し込み用間隙が存する部分で、該スライド部材の上側部を前記嵌合凹部の前記底部の上側部に向けて押すと、前記スライド部材の前記下端部が前記嵌合凹部の下端部から外れるように、該スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記上の第１磁性体及び前記上の第２磁性体相互の磁気吸引力を以て保持させ得る如くなされており、
該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、
又、前記乗り上げ状態で前記スライド部材の前記下端部を上方に向けて押すことにより、該スライド部材が、上方に向けてスライドして前記嵌合凹部に嵌合状態となることを特徴とする箸置き機能を有する箸。
【請求項５】
軸線が上下方向である箸本体の下側の部分に食い先が設けられると共に、該箸本体の上側の部分の、該箸本体の周方向で見た所要幅部分としての一側面部に、上下方向に延長する嵌合凹部が設けられ、該嵌合凹部にスライド部材が嵌合可能となされ、該嵌合状態で、該嵌合凹部の底部の上側部と、該スライド部材の、該底部に面する前記内方部の上側部分との間に前記押し込み用間隙が形成される如くなされており、
又、前記一側面部の上端側の部分は、上方に向けて且つ前記軸線に向けて傾斜する傾斜面として形成されており、
前記スライド部材が前記嵌合凹部に嵌合された状態で、該スライド部材の前記上側部の外方側の部分は、前記傾斜面から突出した状態にあり、
前記傾斜面から突出した状態にある該外方側の部分を前記嵌合凹部に沈めるように、前記上側部を前記嵌合凹部の前記底部の上側部に向けて押すと、前記スライド部材の前記下端部が前記嵌合凹部の下端部から外れるように、前記スライド部材の下側部を前記底部から浮き上がらせることができることを特徴とする請求項３又は４記載の箸置き機能を有する箸。
【請求項６】
軸線が上下方向である箸本体の下側の部分に食い先が設けられると共に、該箸本体の上側の部分の、該箸本体の周方向で見た所要幅部分としての一側面部に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、
又、前記一側面部の上端側の部分は、上方に向けて且つ前記軸線に向けて傾斜する傾斜面として形成されており、
前記嵌合凹部の前記底部の上端側に上の第１磁性体が設けられると共に、該底部の下端側に下の第１磁性体が設けられており、
前記スライド部材の前記内方部の上端側には、前記上の第１磁性体と相互に磁気吸引し得る上の第２磁性体が設けられる共に、該内方部の下端側には、前記下の第１磁性体と相互に磁気吸引し得る下の第２磁性体が設けられており、
前記スライド部材が前記嵌合凹部に嵌合された状態で、前記上の第２磁性体が前記上の第１磁性体の上方に離間して設けられており、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記下の第１磁性体及び前記下の第２磁性体相互の磁気吸引力を以て保持される如くなされており、
前記スライド部材が前記嵌合凹部に嵌合された状態で、該スライド部材の、前記上側部の外方側の部分は、前記傾斜面から突出した状態にあり、
前記傾斜面から突出した状態にある該外方側の部分を前記嵌合凹部に沈めるように、前記上側部を前記嵌合凹部の前記底部の上側部に向けて押すと、前記スライド部材の前記下端部が前記嵌合凹部の下端部から外れるように、前記スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記上の第１磁性体及び前記上の第２磁性体相互の磁気吸引力を以て保持させ得る如くなされており、
該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、
又、前記乗り上げ状態で前記スライド部材の前記下端部を上方に向けて押すことにより、該スライド部材が、上方に向けてスライドして前記嵌合凹部に嵌合状態となることを特徴とする箸置き機能を有する箸。
【請求項７】
軸線が上下方向である箸本体の下側の部分に食い先が設けられると共に、該箸本体の上側の部分は、横断面が正方形状に形成されており、
該上側の部分の平滑な一側面部に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、
又、該一側面部の上端側の部分は、上方に向けて且つ前記軸線に向けて傾斜する傾斜面として形成されており、且つ該嵌合凹部の底部の表面をなす底面の上側部分は、該傾斜面と略平行する間隙形成用傾斜面として構成されており、
前記嵌合凹部の前記底部の上端側に上の第１磁性体が設けられると共に、該底部の下端側に下の第１磁性体が設けられており、
前記スライド部材の前記内方部の上端側には、前記上の第１磁性体と相互に磁気吸引し得る上の第２磁性体が設けられる共に、該内方部の下端側には、前記下の第１磁性体と相互に磁気吸引し得る下の第２磁性体が設けられており、
前記スライド部材が前記嵌合凹部に嵌合された状態で、前記上の第２磁性体が前記上の第１磁性体の上方に離間して設けられており、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記下の第１磁性体及び前記下の第２磁性体相互の磁気吸引力を以て保持される如くなされており、
前記スライド部材が前記嵌合凹部に嵌合された状態で、該スライド部材の、前記上側部の外方側の部分は、前記傾斜面から突出した状態にあり、
前記傾斜面から突出した状態にある該外方側の部分を前記嵌合凹部に沈めるように、前記上側部を前記嵌合凹部の前記間隙形成用傾斜面に向けて押して前記内方部の上側部を該間隙形成用傾斜面に当接させると、前記スライド部材の前記下端部が前記嵌合凹部の下端部から外れるように、該スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記上の第１磁性体及び前記上の第２磁性体相互の磁気吸引力を以て保持させ得る如くなされており、
該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、
又、前記乗り上げ状態で前記スライド部材の前記下端部を上方に向けて押すことにより、該スライド部材が、上方に向けてスライドして前記嵌合凹部に嵌合状態となることを特徴とする箸置き機能を有する箸。
【請求項８】
前記スライド部材の下端部は、前記上下方向と直交する左右方向に向けて張り出す張り出し片部を具える下端拡張部とされ、該下端拡張部の該張り出し片部が前記設置面に載置される如くなされていることを特徴とする請求項３〜７の何れかに記載の箸置き機能を有する箸。
【発明の詳細な説明】
【技術分野】
【０００１】
本発明は、箸本体に設けられたスライド部材のスライドによって箸置きを形成する箸における箸置き形成方法に関するものであり、又、該スライド部材のスライドによって箸置きを形成し得る箸置き機能を有する箸に関するものである。
【背景技術】
【０００２】
箸置きを形成するための可動部を設けた構成の箸置き機能付き箸の一例として特許文献１記載のものが提供されている。該箸置き機能付き箸ａは図２６（Ａ）（Ｂ）（Ｃ）に示すように、一方の箸ｂの下側の部分に設けた収容溝ｃに収容される箸置き片ｄの下端部に、該収容溝ｃの下端部に設けた雌ネジ部ｅに螺合し得る雄ネジ部ｆを設け、該箸置き片ｄを、これが該収容溝ｃに収容された図２６（Ｂ）に示す状態と、該収容溝ｃから側方に向けて９０度回動した図２６（Ｃ）に示す状態との間で回動可能としてなるものであった。そして該箸置き片ｄが該収容溝ｃに収容された状態においては、該箸置き片ｄが図２６（Ｂ）に示すように、前記一方の箸ｂの一部を構成する一方、該箸置き片ｄを９０度回動させた状態においては、該箸置き片ｄが図２６（Ｃ）に示すように前記収容溝ｃの側方に張り出し状態となり、この張り出し状態で該箸置き片ｄをテーブル面上に載せることにより、図２６（Ｄ）に示すように箸置きｇを形成できた。そして図２６（Ｄ）に示すように、該箸置きｇ上に、両箸ｂ，ｈを揃えて載せることができ、これによって、両箸ｂ，ｈの下端部分ｊ，ｋをテーブル面ｎ上に浮いた状態となし得た。
【０００３】
そして該箸置き片ｄを、これが前記収容溝ｃに収容されている状態から９０度回転させて前記張り出し状態とする際は、前記一方の箸ｂの上側部分ｍを一方の手で持った状態で、該箸置き片ｄの上端側の部分ｎを他方の手の指で張り出し方向に押す（図２６（Ｂ）に矢印で示す方向に押す）ことによって行う必要があった。
【０００４】
そのため、かかる箸置き機能付き箸ａによるときは、箸置きを形成する際に両手を用いる必要があって操作が面倒であるばかりか、食事の際に、両手を用いてかかる回動操作を行うことは、見た目のスマートさに欠ける問題があった。加えて、このように箸置き片ｄを箸の下側の部分に組み込む構成とするときは、該箸置き片ｄにご飯やおかず、汁物等の食べ物が接触しやすいところ、該箸置き片ｄを張り出し方向に指で回動させたり、或いは、張り出した状態の箸置き片ｄを前記収容溝ｃに収容させる方向に指で回動させる（図２６（Ｃ）に示すように回転させる）際、該箸置き片ｄに雑菌が付着する恐れがあった。かかることから、該箸置き機能付き箸ａは不衛生になりやすい問題があった。
【０００５】
その他、前記収容溝ｃを箸の下側の部分に設ける場合は、前記箸置き片ｄや前記収容溝ｃに食べ物が付着し易いため、該箸置き片ｄを９０度回動させて前記張り出し状態とする際や、該張り出し状態の箸置き片ｄを該収容溝ｃに戻さんとした時、これらの付着物によって該箸置き片ｄをスムーズに収容溝ｃに戻すことができない場合もあった。
【先行技術文献】
【特許文献】
【０００６】
【特許文献１】特開２０１２−１８７３３０号公報
【発明の概要】
【発明が解決しようとする課題】
【０００７】
本発明は、前記従来の問題点に鑑みて開発されたものであり、磁気吸引力を利用してスライドし得るスライド部材を箸の上側の部分に設けることを基本として、箸を衛生的に使用できるのは元より、箸置き形成操作を、箸を持った手の指によるワンタッチ操作で簡易に行うことができ、然も、該箸置き形成操作を食事中においてもスマートに行うことを可能とする箸における箸置き形成方法の提供を課題とするものであり、又、箸置き機能を有する箸の提供を課題とするものである。
【課題を解決するための手段】
【０００８】
前記課題を解決するため本発明は以下の手段を採用する。
即ち本発明に係る箸における箸置き形成方法（以下、箸置き形成方法という）は、軸線が上下方向である箸本体の下側の部分に食い先が設けられると共に、該箸本体の上側の部分に、上下方向に延長する嵌合凹部が設けられ、該嵌合凹部にスライド部材が嵌合可能となされており、該嵌合凹部側に第１磁性体が設けられると共に該スライド部材側に第２磁性体が設けられ、該第１磁性体及び該第２磁性体が相互に磁気吸引される箸において、該スライド部材のスライドにより箸置きを形成する箸における箸置き形成方法であって、前記スライド部材が前記嵌合凹部に嵌合された状態で、前記スライド部材の上側部を前記嵌合凹部の底部の上側部に向けて押して、該スライド部材の下側部を該底部から浮き上がらせ、この浮き上がり状態における前記第２磁性体及び前記第１磁性体相互の磁気吸引力により、前記スライド部材を下方に向けてスライドさせ、該スライド部材の下端部分を前記嵌合凹部の下端部の縁部分に乗り上げ状態とし、該スライド部材の該乗り上げ状態を、前記第１磁性体及び前記第２磁性体相互の磁気吸引力を以て保持させることを特徴とするものである。
【０００９】
本発明に係る箸置き機能を有する箸は、軸線が上下方向である箸本体の下側の部分に食い先が設けられると共に、該箸本体の上側の部分に、上下方向に延長する嵌合凹部が設けられ、該嵌合凹部にスライド部材が嵌合可能となされており、該嵌合凹部側に第１磁性体が設けられると共に該スライド部材側に第２磁性体が設けられて、該第１磁性体及び該第２磁性体が相互に磁気吸引される箸において、該スライド部材のスライドにより箸置きを形成する箸置き機能を有する箸である。前記スライド部材が前記嵌合凹部に嵌合された状態で、前記スライド部材の上側部を前記嵌合凹部の底部の上側部に向けて押すと、該スライド部材の下側部を該底部から浮き上がらせることができ、この浮き上がり状態における前記第１磁性体及び前記第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記第１磁性体及び前記第２磁性体相互の磁気吸引力を以て保持させ得ることを特徴とするものである。
【００１０】
前記箸置き機能を有する箸のより好ましい態様の一つは、軸線が上下方向である箸本体の下側の部分に食い先が設けられると共に、該箸本体の上側の部分に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、前記嵌合凹部の前記底部の上端側に上の第１磁性体が設けられると共に、前記スライド部材の前記内方部の上端側には、該上の第１磁性体と相互に磁気吸引し得る上の第２磁性体が設けられている。そして、前記スライド部材が前記嵌合凹部に嵌合された状態で、前記上の第２磁性体が前記上の第１磁性体の稍上方に離間して設けられ、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記上の第１磁性体及び前記上の第２磁性体相互の磁気吸引力を以て保持される如くなされている。又、前記スライド部材が前記嵌合凹部に嵌合された状態で、前記押し込み用間隙が存する部分で、前記スライド部材の上側部を前記嵌合凹部の前記底部の上側部に向けて押すと、前記スライド部材の前記下端部が前記嵌合凹部の下端部から外れるように、該スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、該上の第１磁性体及び該上の第２磁性体相互の磁気吸引力を以て保持させ得る如くなされている。該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、又、前記乗り上げ状態で前記スライド部材の前記下端部を上方に向けて押すことにより、該スライド部材が、上方に向けてスライドして前記嵌合凹部に嵌合状態となることを特徴とするものである。
【００１１】
前記箸置き機能を有する箸のより好ましい他の態様は、軸線が上下方向である箸本体の下側の部分に食い先が設けられると共に、該箸本体の上側の部分に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、前記嵌合凹部の前記底部の上端側に上の第１磁性体が設けられると共に、該底部の下端側に下の第１磁性体が設けられており、前記スライド部材の前記内方部の上端側には、前記上の第１磁性体と相互に磁気吸引し得る上の第２磁性体が設けられると共に、該内方部の下端側には、前記下の第１磁性体と相互に磁気吸引し得る下の第２磁性体が設けられている。そして、前記スライド部材が前記嵌合凹部に嵌合された状態で、前記上の第２磁性体が前記上の第１磁性体の上方に離間して設けられ、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記下の第１磁性体及び前記下の第２磁性体相互の磁気吸引力を以て保持される如くなされている。又、前記スライド部材が前記嵌合凹部に嵌合された状態で、前記押し込み用間隙が存する部分で、該スライド部材の上側部を前記嵌合凹部の前記底部の上側部に向けて押すと、前記スライド部材の前記下端部が前記嵌合凹部の下端部から外れるように、該スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記上の第１磁性体及び前記上の第２磁性体相互の磁気吸引力を以て保持させ得る如くなされている。該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、又、前記乗り上げ状態で前記スライド部材の前記下端部を上方に向けて押すことにより、該スライド部材が、上方に向けてスライドして前記嵌合凹部に嵌合状態となることを特徴とするものである。
【００１２】
前記の各好ましい態様は、次のように構成するとより好ましい。即ち、軸線が上下方向である箸本体の下側の部分に食い先が設けられると共に、該箸本体の上側の部分の、該箸本体の周方向で見た所要幅部分としての一側面部に、上下方向に延長する嵌合凹部が設けられ、該嵌合凹部にスライド部材が嵌合可能となされ、該嵌合状態で、該嵌合凹部の底部の上側部と、該スライド部材の、該底部に面する前記内方部の上側部分との間に前記押し込み用間隙が形成される如くなされており、又、前記一側面部の上端側の部分は、上方に向けて且つ前記軸線に向けて傾斜する傾斜面として形成されており、前記スライド部材が前記嵌合凹部に嵌合された状態で、該スライド部材の前記上側部の外方側の部分は、前記傾斜面から突出した状態にあり、前記傾斜面から突出した状態にある該外方側の部分を前記嵌合凹部に沈めるように、前記上側部を前記嵌合凹部の前記底部の上側部に向けて押すと、前記スライド部材の前記下端部が前記嵌合凹部の下端部から外れるように、前記スライド部材の下側部を前記底部から浮き上がらせることができる、という構成を採用するのがよい。
【００１３】
前記箸置き機能を有する箸のより好ましいその他の態様は、軸線が上下方向である箸本体の下側の部分に食い先が設けられると共に、該箸本体の上側の部分の、該箸本体の周方向で見た所要幅部分としての一側面部に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされており、又、前記一側面部の上端側の部分は、上方に向けて且つ前記軸線に向けて傾斜する傾斜面として形成されており、前記嵌合凹部の前記底部の上端側に上の第１磁性体が設けられると共に、該底部の下端側に下の第１磁性体が設けられている。そして、前記スライド部材の前記内方部の上端側には、前記上の第１磁性体と相互に磁気吸引し得る上の第２磁性体が設けられる共に、該内方部の下端側には、前記下の第１磁性体と相互に磁気吸引し得る下の第２磁性体が設けられている。又、前記スライド部材が前記嵌合凹部に嵌合された状態で、前記上の第２磁性体が前記上の第１磁性体の上方に離間して設けられており、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記下の第１磁性体及び前記下の第２磁性体相互の磁気吸引力を以て保持される如くなされており、前記スライド部材が前記嵌合凹部に嵌合された状態で、該スライド部材の、前記上側部の外方側の部分は、前記傾斜面から突出した状態にある。又、前記傾斜面から突出した状態にある該外方側の部分を前記嵌合凹部に沈めるように、前記上側部を前記嵌合凹部の前記底部の上側部に向けて押すと、前記スライド部材の前記下端部が前記嵌合凹部の下端部から外れるように、前記スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記上の第１磁性体及び前記上の第２磁性体相互の磁気吸引力を以て保持させ得る如くなされている。又、該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、前記乗り上げ状態で前記スライド部材の前記下端部を上方に向けて押すことにより、該スライド部材が、上方に向けてスライドして前記嵌合凹部に嵌合状態となることを特徴とするものである。
【００１４】
前記箸置き機能を有する箸のより好ましいその他の態様は、軸線が上下方向である箸本体の下側の部分に食い先が設けられると共に、該箸本体の上側の部分は、横断面が正方形状に形成されており、該上側の部分の平滑な一側面部に、上下方向に延長する嵌合凹部が設けられ、該嵌合凹部にスライド部材が嵌合可能となされ、該嵌合状態で、該嵌合凹部の底部の上側部と、該スライド部材の、該底部に面する内方部の上側部分との間に押し込み用間隙が形成される如くなされている。又、該一側面部の上端側の部分は、上方に向けて且つ前記軸線に向けて傾斜する傾斜面として形成されており、且つ該嵌合凹部の底部の表面をなす底面の上側部分は、該傾斜面と略平行する間隙形成用傾斜面として構成されており、前記嵌合凹部の前記底部の上端側に上の第１磁性体が設けられると共に、該底部の下端側に下の第１磁性体が設けられている。そして、前記スライド部材の前記内方部の上端側には、前記上の第１磁性体と相互に磁気吸引し得る上の第２磁性体が設けられる共に、該内方部の下端側には、前記下の第１磁性体と相互に磁気吸引し得る下の第２磁性体が設けられており、前記スライド部材が前記嵌合凹部に嵌合された状態で、前記上の第２磁性体が前記上の第１磁性体の上方に離間して設けられており、該上の第１磁性体が該上の第２磁性体を磁気吸引する如くなされており、この磁気吸引作用によって、前記スライド部材の下端部が前記嵌合凹部の下端部に当接状態となり、該スライド部材の該当接した嵌合状態が、前記下の第１磁性体及び前記下の第２磁性体相互の磁気吸引力を以て保持される如くなされている。前記スライド部材が前記嵌合凹部に嵌合された状態で、該スライド部材の、前記上側部の外方側の部分は、前記傾斜面から突出した状態にあり、前記傾斜面から突出した状態にある該外方側の部分を前記嵌合凹部に沈めるように、前記上側部を前記嵌合凹部の前記間隙形成用傾斜面に向けて押して前記内方部の上側部を該間隙形成用傾斜面に当接させると、前記スライド部材の前記下端部が前記嵌合凹部の下端部から外れるように、該スライド部材の下側部を前記底部から浮き上がらせることができ、この浮き上がり状態における前記上の第１磁性体及び前記上の第２磁性体相互の磁気吸引力により、前記スライド部材を下方に向けてスライドさせて該スライド部材の下端部分を前記嵌合凹部の下端部の縁部分に乗り上げ状態となし得、該スライド部材の該乗り上げ状態を、前記上の第１磁性体及び前記上の第２磁性体相互の磁気吸引力を以て保持させ得る如くなされている。そして、該乗り上げ状態で前記スライド部材を下向きにして該スライド部材の、前記内方部と対向する外方部を、テーブル面等の設置面に載置すると、前記箸本体の前記食い先が該設置面から浮き上がった状態となり、又、前記乗り上げ状態で前記スライド部材の前記下端部を上方に向けて押すことにより、該スライド部材が、上方に向けてスライドして前記嵌合凹部に嵌合状態となることを特徴とするものである。
【００１５】
前記の各箸置き機能を有する箸において、前記スライド部材の下端部を、前記上下方向と直交する左右方向に向けて張り出す張り出し片部を具える下端拡張部とし、該下端拡張部の該張り出し片部が前記設置面に載置される如く構成するのがよい。
【発明の効果】
【００１６】
本発明は以下の如き優れた効果を奏する。
(1) 本発明に係る箸は、軸線が上下方向である箸本体の下側の部分に食い先が設けられると共に該箸本体の上側の部分に、上下方向に延長する嵌合凹部が設けられ、該嵌合凹部にスライド部材が嵌合可能となされており、該嵌合状態にある該スライド部材の上側部を該嵌合凹部の底部の上側部に向けて押すことにより、磁気吸引力を利用して該スライド部材を下方に向けてスライドさせ、該スライド部材の下端部分を該嵌合凹部の下端部の縁部分に乗り上げ状態とし、該乗り上げ状態を磁気吸引力を以て保持させ得るように構成され、該乗り上げ状態のスライド部材を以て箸置きを形成可能となされている。又本発明に係る箸置き形成方法は、該構成の箸を用いて箸置きを形成する方法である。
【００１７】
従って本発明によるときは、箸置き形成操作を、箸を持った手の指によるワンタッチ操作で簡易に行うことができる。然も該箸置き形成操作を食事中においてもスマートに行うことができる。更に、スライド部材を箸本体の上側の部分に設けているため、該スライド部材がご飯やおかず、汁物等の食べ物に接触する恐れがなく、通常の箸と同様に衛生的に箸を使用できる。
【００１８】
(2) 前記嵌合凹部の底部の上端側に上の第１磁性体を設け、該底部の下端側に下の第１磁性体を設けると共に、前記スライド部材の前記内方部の上端側に上の第２磁性体を設け、前記内方部の下端側に下の第２磁性体を設ける場合は、前記スライド部材が前記嵌合凹部に嵌合された状態を、前記下の第１磁性体及び前記下の第２磁性体相互の磁気吸引作用によって安定的に保持できる。そして、前記嵌合凹部に嵌合された状態にある前記スライド部材の上側部を該嵌合凹部の底部の上側部に向けて押すことにより、該スライド部材の下側部の浮き上がりによって、前記上の第１磁性体及び前記上の第２磁性体相互の磁気吸引力により該スライド部材を下方に向けてスライドさせて箸置きを形成でき、この状態を上の第１磁性体及び上の第２磁性体相互の磁気吸引力を以て保持させ得る。
【００１９】
(3) 前記箸本体の前記一側面部の上端側の部分を、上方に向けて且つ前記軸線に向けて傾斜する傾斜面として構成する場合は、前記スライド部材が前記嵌合凹部に嵌合された状態で、該スライド部材の上側部の外方側の部分を該傾斜面から突出状態となし得るため、該スライド部材の該上側部を前記嵌合凹部の前記底部の上側部に向けて押す操作を容易に行うことができる。
【００２０】
(4) 前記嵌合凹部の底面の上側部分を、前記傾斜面と略平行する間隙形成用傾斜面として構成する場合は、前記スライド部材の前記上側部を押して、前記スライド部材の前記内方部の上側部を該間隙形成用傾斜面に当接させさえすれば、該スライド部材の該上側部の押し込み量が自ずから所要に設定され、該スライド部材の下側の浮き上がりによって、該スライド部材を確実に下方に向けてスライドさせ得る。
【００２１】
(5) 前記スライド部材の下端部を、前記箸本体の上下方向と直交する左右方向に向けて張り出す張り出し片部を具える下端拡張部とする場合は、所要にスライドした状態にある前記スライド部材を下向きにして該スライド部材の前記外方部を設置面に載置したとき、前記スライド部材の左右幅が比較的小さくても該下端拡張部の左右幅が比較的大きいため、該スライド部材が構成する箸置きをより安定状態で設置面に載置できる。
【図面の簡単な説明】
【００２２】
【図１】スライド部材を箸本体の嵌合凹部に嵌合した状態にある箸を示す斜視図と該嵌合状態における下側の部分を示す平面図である。
【図２】スライド部材を嵌合凹部から外した状態で示す箸の分解斜視図と、箸本体の嵌合凹部の下側部分を示す平面図である。
【図３】スライド部材を嵌合凹部に嵌合した状態で示す箸の縦断面図である。
【図４】スライド部材を嵌合凹部に嵌合した状態を示す縦断面図と、そのスライド部材の上側部を嵌合凹部の底部の上側部に向けて押している状態を示す断面図と、スライド部材がスライドして箸置きを形成した状態を示す断面図である。
【図５】箸置きによって箸を設置面に設置した状態を示す断面図である。
【図６】スライド部材が嵌合凹部に嵌合された状態の箸を示す平面図と断面図である。
【図７】図６に示されている断面箇所における横断面図である。
【図８】本発明に係る箸の他の態様を示す縦断面図である。
【図９】その箸においてスライド部材をスライドさせて箸置きを形成した状態を示す縦断面図である。
【図１０】その箸が形成した箸置きによって箸を設置面に載置した状態を示す縦断面図である。
【図１１】スライド部材が嵌合凹部に嵌合された状態で該スライド部材の上側部と該嵌合凹部の底部の上側部との間に形成される押し込み用間隙の他の構成を示す縦断面図と、該スライド部材のスライドによって形成された箸置きを示す縦断面図である。
【図１２】該押し込み用間隙の他の構成を示す縦断面図である。
【図１３】押し込み用間隙のその他の構成と、スライド部材のスライドによって形成された箸置きを示す縦断面図である。
【図１４】押し込み用間隙のその他の構成を示す縦断面図と、スライド部材のスライドによって形成された箸置きを示す縦断面図である。
【図１５】箸本体とスライド部材に設けられた、第１磁性体及び第２磁性体の他の配置状態を示す断面図である。
【図１６】箸本体とスライド部材に設けられた、第１磁性体及び第２磁性体のその他の態様を示す縦断面図である。
【図１７】箸本体とスライド部材に設けられた、第１磁性体及び第２磁性体のその他の態様を示す縦断面図である。
【図１８】押圧突部が設けられたスライド部材を具える箸と、該箸によって形成された箸置きによって箸を設置面に載置した状態を示す縦断面図である。
【図１９】第１磁性体を磁石を以て構成した場合において、その磁極を嵌合凹部の底面に露出状態とした場合を示す横断面図である。
【図２０】第１磁性体を磁石を以て構成した場合において、該磁石を嵌合凹部の底面で若干突出させた場合を示す横断面図である。
【図２１】前記第２磁性体を磁石を以て構成した場合において、該磁石を前記スライド部材の内方部で若干突出させた場合を示す横断面図である。
【図２２】横断面形態が円形状に形成された箸本体の嵌合凹部にスライド部材を嵌合させてなる箸を示す斜視図と、その部分横断面図である。
【図２３】横断面が半丸状を呈する箸本体に設けた嵌合凹部にスライド部材を嵌合させてなる箸を示す横断面図である。
【図２４】横断面が五角形状を呈する箸本体に設けた嵌合凹部にスライド部材を嵌合させてなる箸を示す横断面図である。
【図２５】スライド部材と嵌合凹部の他の態様を示す横断面図である。
【図２６】従来の箸置き機能付き箸の問題点を説明する説明図である。
【発明を実施するための形態】
【実施例１】
【００２３】
本発明に係る箸置き形成方法は、図１〜５に示す箸置き機能を有する箸（以下箸ともいう）１を用いて実施される。該箸１は、図１〜３に示すように、軸線Ｌが上下方向である箸本体２の下側の部分３に食い先５が設けられると共に、該箸本体２の上側の部分６に、上下方向に延長する嵌合凹部７が設けられ、該嵌合凹部７に、下方に向けてスライドし得るスライド部材９が嵌合可能となされており、該嵌合凹部７側に第１磁性体１０が設けられると共に該スライド部材９側に第２磁性体１１が設けられている。該箸置き形成方法は、かかる構成の箸１において、図４（Ａ）に示すように該スライド部材９が前記嵌合凹部７に嵌合された状態で図４（Ｂ）（Ｃ）に示すように、該スライド部材９の上側部１２を前記嵌合凹部７の底部１３の上側部１５に向けて押して、該スライド部材９の下側部１６を該底部１３から浮き上がらせ、この浮き上がり状態における前記第１磁性体１０及び前記第２磁性体１１相互の磁気吸引力により、該スライド部材９を下方に向けてスライドさせ、該スライド部材９の下端部分１７を前記嵌合凹部７の下端部１８の縁部分１９に乗り上げ状態とし、該スライド部材９の該乗り上げ状態を、図４（Ｃ）に示すように、前記第１磁性体１０及び該第２磁性体１１相互の磁気吸引力を以て保持させるものである。該乗り上げ状態にある該スライド部材９は、図４、図５に示すように箸置き２０を形成する。以下、前記箸置き機能を有する箸１及び、前記箸置き形成方法を具体的に説明する。
【００２４】
前記箸１は、本実施例においては図１〜３に示すように、軸線Ｌが上下方向である箸本体（例えば、木製やプラスチック製等）２の下側の部分３に食い先５が設けられると共に、該箸本体２の上側の部分６に、上下方向に延長する嵌合凹部７が設けられ、該嵌合凹部７にスライド部材（例えば、木製やプラスチック製等）９が嵌合可能となされ、該嵌合状態で、図３に示すように、該嵌合凹部７の底部１３の上側部１５と、該スライド部材９の、該底部１３に面する該内方部２１の上側部分２２との間に押し込み用間隙２３が形成される如くなされている。該スライド部材９を該嵌合凹部７に嵌合させた状態においては、例えば図１に示す通常の箸と外観が略同様の箸が得られ、又、箸としての使用感も通常の箸と略同様である。
【００２５】
次に、前記嵌合凹部７側に設けられている前記第１磁性体１０と、前記スライド部材９側に設けられている前記第２磁性体１１とについて、その構成とその配置状態を図６、図７に基づいてより詳しく説明する。なお図６（Ａ）と図６（Ｂ）の夫々における（ａ）〜（ｄ）は、前記箸１の断面箇所を示す。又、図７（Ａ）は図６（Ａ）（Ｂ）の（ａ）における拡大横断面図、図７（Ｂ）は図６（Ａ）（Ｂ）の（ｂ）における拡大横断面図、図７（Ｃ）は図６（Ａ）（Ｂ）の（ｃ）における拡大横断面図、図７（Ｄ）は図６（Ａ）（Ｂ）の（ｄ）における拡大横断面図である。
【００２６】
図６（Ｂ）に示すように、前記嵌合凹部７の前記底部１３の上端側２５に上の第１磁性体１０ａが設けられると共に、該底部１３の下端側２６に下の第１磁性体１０ｂが設けられており、前記スライド部材９の前記内方部２１の上端側２７には、前記上の第１磁性体１０ａと相互に磁気吸引し得る上の第２磁性体１１ａが設けられている。そして図６（Ｂ）に示すように、該内方部２１の下端側２９には、前記下の第１磁性体１０ｂと相互に磁気吸引し得る下の第２磁性体１１ｂが設けられている。本実施例においては、前記の上下の第１磁性体１０ａ，１０ｂ、上下の第２磁性体１１ａ，１１ｂとして磁石３０を用いることとしている。前記上の第１磁性体１０ａと前記下の第１磁性体１０ｂは、本実施例においては図６（Ｂ）、図７（Ｂ）（Ｃ）に示すように、前記底部１３に埋入状態にあり、該底部１３の表面をなす底面３１（本実施例においては平滑面として形成されている）及び、これと対向する外面３２に露出状態にはない。そのために本実施例においては、例えば図７（Ｂ）（Ｃ）に示すように、これらの磁性体を設ける部位において、該外面３２から該底面３１に向けて、該底面３１を破らないように円形盲孔３４を設け、該円形盲孔３４に、その孔長さよりも短い長さを有する円形状の前記磁石３０を収容してなる。そして同図に示すように、該磁石３０の外端面３６を底とする円形孔部３５に円柱状の埋木３８を嵌着してなる。該磁石３０は、その内方側の磁極３３が前記底面３１に近接状態にあるので、前記円形孔部３５の底部分３５ａを介して磁気吸引力を及ぼすことができる。なお本実施例においては、前記スライド部材９に設けられている前記上下の第２磁性体１１ａ，１１ｂを構成する前記磁石３０は、前記内方部２１で磁極３９が露出している。該磁極３９は、前記磁極３３と異極である。
【００２７】
そして図４（Ａ）に示すように、前記スライド部材９が前記嵌合凹部７に嵌合された状態で、前記上の第２磁性体１１ａが前記上の第１磁性体１０ａの稍上方に離間して設けられ、該上の第１磁性体１０ａが該上の第２磁性体１１ａを磁気吸引する如くなされている。そして、この磁気吸引作用によって、図４（Ａ）、図６（Ｂ）に示すように、前記スライド部材９の下端部４０が前記嵌合凹部７の下端部１８に当接状態となり、該スライド部材９の該当接した嵌合状態が、主として、前記下の第１磁性体１０ｂ及び前記下の第２磁性体１１ｂ相互の磁気吸引力を以て保持される如くなされている。
【００２８】
又、前記スライド部材９が前記嵌合凹部７に嵌合された状態で、前記押し込み用間隙２３が存する部分で、図４（Ｂ）（Ｃ）に矢印で示すように、該スライド部材９の上側部１２を前記嵌合凹部７の前記底部１３の上側部１５に向けて押すと、該スライド部材９の下側部１６を前記底部１３から浮き上がらせることができ、この浮き上がり状態における前記上の第１磁性体１０ａ及び前記上の第２磁性体１１ａ相互の磁気吸引力により、前記スライド部材９を下方に向けてスライドさせ、該スライド部材９の下端部分１７を前記嵌合凹部７の下端部１８の縁部分１９に乗り上げ状態となし得る。該スライド部材９の該乗り上げ状態は、磁極３３，３９（図７（Ｂ））が対向状態にある前記上の第１磁性体１０ａ及び前記上の第２磁性体１１ａ相互の磁気吸引力を以て保持させることができる。
【００２９】
該乗り上げ状態にある該スライド部材９は箸置き２０を形成するので、図５に示すように、該乗り上げ状態にある前記スライド部材９を下向きにして該スライド部材９の、前記内方部２１と対向する外方部４２をテーブル面等の設置面４３に載置すると、図５（Ａ）に示すように、前記箸本体２の前記食い先５を含む該箸本体の下側の部分３を該設置面４３から浮き上がった状態となし得る。
【００３０】
該箸置き２０が不要の場合、例えば箸１を用いて食事をする際は、前記乗り上げ状態にある前記スライド部材９の前記下端部４０を、図４（Ｃ）に矢印で示すように上方に向けて押すと、該スライド部材９が、該上方に向けてスライドして、図４（Ａ）に示すように、前記嵌合凹部７に嵌合状態となる。この状態は、前記下の第１磁性体１０ｂ及び前記下の第２磁性体１１ｂ相互の磁気吸引力を以て保持される。
【００３１】
前記箸本体２は、本実施例においては図１、図７に示すように、その上側の部分６は、横断面が正方形状に形成されており、該上側の部分６の、該箸本体２の周方向で見た所要幅部分（本実施例においては、平滑な一側面部）４５（図２（Ａ））に、上下方向に延長する前記嵌合凹部７が設けられ、該嵌合凹部７に前記スライド部材９が嵌合可能となされている。
【００３２】
該スライド部材９は、図２〜３に示すように、上下方向に長い軸状に形成されており、その横断面は長方形状を呈し、前記内方部（本実施例においては平滑面として構成されている）２１を該嵌合凹部７の底部１３の前記底面３１に向けて嵌合可能となされている。
【００３３】
本実施例においては、該スライド部材９の上端部４６は平面視で半丸状に形成されると共に、その下端部分は、図２、図７（Ｄ）に示すように、下端拡張部５０とされている。該下端拡張部５０は本実施例においては、前記内方部２１と対向する前記外方部（本実施例においては、全体が面一の平滑面として形成されている）４２側が、該スライド部材９の延長方向と直交し（即ち、前記軸線Ｌと直交する）且つ前記一側面部４５と平行する、左右方向に向けて張り出す張り出し片部４９，４９を具え、該張り出し片部４９，４９の下端面５１，５１を含む前記スライド部材９の前記下端部４０は、本実施例においては図１〜２に示すように、前記軸線Ｌと直交する係合端面５２とされている。該スライド部材９の上下方向の長さは例えば９８ｍｍに設定されると共にその左右方向の幅は例えば２．９ｍｍに設定され、その内外方向で見た厚さは例えば５ｍｍに設定されている。又前記下端拡張部５０の左右幅は例えば６ｍｍに設定され、その内外方向での厚さは例えば１．４ｍｍに設定されている。
【００３４】
前記箸本体２は本実施例においては図１〜２に示すように、その下側の部分３は先細に形成され、該下側の部分３に前記食い先５を有し、その上側の部分６の前記平滑な一側面部４５の上端側の部分５３は、上方に向けて且つ前記軸線Ｌに向けて傾斜する傾斜面５５として形成されている。そして前記嵌合凹部７は、前記平滑な一側面部４５の長手中央線に沿って設けられており、前記スライド部材９を略密接状態に嵌め入れることができる。該嵌合凹部７の上端５６は、図２に示すように、前記傾斜面５５の上端５７の稍下方に控えて位置しており、該上端５６は半円弧状面として形成されると共にその下端部分５９には、前記下端拡張部５０の前記左右の張り出し片部４９，４９を嵌め入れるための左右の凹部６０，６０が設けられている。
【００３５】
そして前記嵌合凹部７の前記底面３１の上側部分６１は、図３（Ｂ）に示すように、前記傾斜面５５と略平行する間隙形成用傾斜面６２として構成されている。
【００３６】
かかる構成を有する前記スライド部材９を前記嵌合凹部７に嵌合させた状態においては、図１に示すように、該スライド部材９の前記外方部４２の内の、前記傾斜面５５に存する部分を除いた部分６３は、前記平滑な一側面部４５と面一状態にあるが、該外方部４２の内の、前記傾斜面５５に存する部分６４は、該傾斜面５５から外方に離れて位置している。これによって、図３（Ｂ）に示すように、前記上側部１２の外方側の部分６５は、前記傾斜面５５から突出した状態にある。該突出した該外方側の部分６５は押しボタン状に機能する。そして、該スライド部材９が該嵌合凹部７に嵌合された状態で、該嵌合凹部７の前記底面３１の上側部分６１、即ち前記間隙形成用傾斜面６２と、前記スライド部材９の前記平滑な内方部２１の上側部分２２との間には、前記箸本体２の上端（前記傾斜面５５の上端５７）６６に向かうにつれて溝幅が徐々に大となる前記押し込み用間隙２３が設けられている。
【００３７】
そして、このようにスライド部材９が嵌合凹部７に嵌合された状態で見て、図３に示すように、前記底部１３の上端側１５（図３においては、前記間隙形成用傾斜面６２の基端６７の近傍部位６９）に、上の第１磁性体１０ａが設けられると共に、前記底部１３の下端側２６には下の第１磁性体１０ｂが設けられている。又図３に示すように、前記スライド部材９の前記内方部２１の上端側２７には、前記上の第１磁性体１０ａと相互に磁気吸着し得る上の第２磁性体１１ａが、該上の第１磁性体１０ａの稍上方に離間して設けられている。そして、前記スライド部材９の前記内方部２１の下端側２９には、前記下の第１磁性体１０ｂと相互に磁気吸引し得る前記下の第２磁性体１１ｂが向き合う状態で設けられている。
【００３８】
本実施例においては、前記嵌合凹部７の前記底部１３に設けられている前記上の第１磁性体１０ａと前記下の第１磁性体１０ｂと、前記スライド部材９の前記内方部２１に設けられている前記上の第２磁性体１１ａと前記下の第２磁性体１１ｂは、図３、図７に示すように、何れも、直径が例えば１．３ｍｍで長さが例えば１．５ｍｍである円柱状のネオジウム磁石を以て構成されている。
【００３９】
然して、前記スライド部材９が前記嵌合凹部７に嵌合された状態においては、図３、４（Ａ）に示すように、前記上の第１磁性体１０ａが前記上の第２磁性体１１ａを磁気吸引する磁気吸引作用によって、該スライド部材９が前記嵌合凹部７内において下方向に付勢されて、図３（Ｂ）、図４（Ａ）に示すように、該スライド部材９の下端部４０が前記嵌合凹部７の下端部１８に当接状態にある。該スライド部材９の該嵌合状態は、図３、図７（Ｃ）に示すように、磁極３３，３９が向き合う状態となる前記下の第１磁性体１０ｂ及び前記下の第２磁性体１１ｂ相互の磁気吸引力が作用して安定的に保持される。そして、この嵌合状態で、図３に示すように、該スライド部材９の上端部４６と前記嵌合凹部７の上端部５６との間に若干の間隙７３が形成される。
【００４０】
然して図４（Ｂ）（Ｃ）に示すように、前記スライド部材９が前記嵌合凹部７に嵌合された状態で、前記押し込み用間隙２３（図４（Ａ））が存する部分で、該スライド部材９の上側部１２を前記間隙形成用傾斜面６２に向けて押すと、押しボタン状の前記外方側の部分６５（図４（Ａ））が前記嵌合凹部７に沈んでいく。本実施例においては前記のように、該間隙形成用傾斜面６２を前記箸本体２に設けた前記傾斜面５５と略平行させているため、該外方側の部分６５を該嵌合凹部７に沈んだ状態（完全に沈んだ状態とは限らない）として前記上側部分２２を前記間隙形成用傾斜面６２に当接させることによって、前記スライド部材９の前記下端部４０が前記嵌合凹部７の前記下端部１８を外れた状態とでき、該スライド部材９の下側部１６を前記底部１３から浮き上がらせることができる。その際、前記間隙７３が設けられているため、前記上側部１２を押し込む際に該上側部１２の上端部４６が前記嵌合凹部７の上端部５６に擦れるのを防止でき、該押し込みを支障なく行うことができる。図４（Ｂ）は、前記スライド部材９の上側部１２を前記底部１３の上側部１５に向けて押すことによって前記スライド部材９の下端部４０が前記嵌合凹部７の下端部１８から外れる直前の状態を示している。該上側部１２を更に押すと、両下端部４０，１８の当接状態が解除され、該解除と同時に該スライド部材９が下方に向けてスライドする。
【００４１】
このように押す操作は、前記押し込み用間隙２３が設けられているために無理なく行うことができ、この操作を、箸１を片方の手で持った状態で、その手の指によるワンタッチ操作でスマートに行うことができる。該スライド部材９の前記下端部４０が前記嵌合凹部７の前記下端部１８から外れると同時に、前記上の第１磁性体１０ａ及び前記上の第２磁性体１１ａ相互の磁気吸引力により、該スライド部材９を下方に向けて自動的に所要にスライドさせて該スライド部材９の前記下端部分１７を、図４（Ｃ）に示すように、前記嵌合凹部７の下端部１８の縁部分１９に乗り上げ状態となし得る。この乗り上げ状態においては、図４（Ｃ）に示すように、前記上の第１磁性体１０ａ及び前記上の第２磁性体１１ａの磁極３３，３９は接触していないが、向き合った状態で相互に磁気吸引された状態にある。従って、該スライド部材９の該乗り上げ状態を、該上の第１磁性体１０ａ及び該上の第２磁性体１１ａ相互の磁気吸引力を以て安定的に保持させることができる。該スライド部材９の、乗り上げ状態にある前記下端部分１７の上下方向の長さは、前記上の第１磁性体１０ａと前記上の第２磁性体１１ａとの間の離間量Ｄ（図４（Ａ））によって決まるものである。
【００４２】
前記下端部分１７がこのように乗り上げ状態にある該スライド部材９は箸置き２０を形成するので、該乗り上げ状態の該スライド部材９を下向きにして該スライド部材９の前記外方部（平滑面）４２をテーブル面等の設置面４３に載置すると、図５に示すように、前記箸本体２の前記食い先５を該設置面４３から浮き上がった状態となし得る。このように該スライド部材９が箸置き２０として機能する場合、図５（Ｃ）に示すように前記左右の張り出し片部４９，４９が前記設置面４３に接する。従って、該スライド部材９の、前記下端拡張部５０を除いた部分の外方部４２の左右幅が比較的小さくても、該張り出し片部４９，４９の左右幅は比較的大きいので、前記箸置き２０は、より安定状態で前記設置面４３に載置されることとなる。これにより、箸１をより安定状態で設置面４３に載置できる。
【００４３】
該箸置き２０が不要の際は、例えば、箸１を用いて食事をする際は、前記乗り上げ状態にある前記スライド部材９の前記下端部４０を、図４（Ｃ）に矢印で示すように上方に向けて押すと、該スライド部材９が上方に向けてスライドし、前記下端部分１７が前記下端部１８の縁部分１９を外れて、図４（Ａ）に示すように、該スライド部材９が前記嵌合凹部７に嵌合状態となる。この嵌合状態は、前記下の第１磁性体１０ｂ及び下の第２磁性体１１ｂ相互の磁気吸引力によって安定的に保持されることとなる。
【実施例２】
【００４４】
図８は、本発明に係る箸置き機能を有する箸１の他の実施例を示すものであり、前記実施例１における、前記下の第１磁性体１０ｂと前記下の第２磁性体１１ｂとを省略して構成され、その他の構成は実施例１におけると同様である。図８は、前記スライド部材９が前記箸本体２に設けられている前記嵌合凹部７に嵌合された状態を示し、該嵌合状態は、互いに離間状態にある前記上の第１磁性体１０ａ及び上の第２磁性体１１ａの磁気吸引作用によって保持されている。この場合は、前記スライド部材９が前記嵌合凹部７に嵌合した状態をより安定的に保持させるために、実施例１におけると同様にして、前記上の第１磁性体１０ａ及び前記上の第２磁性体１１ａとして、磁力のより強い磁石（例えばネオジウム磁石）を以て構成するのがよい。
【００４５】
前記と同様にして、前記嵌合凹部７に嵌合された状態にある前記スライド部材９の上側部１２を該嵌合凹部７の前記底部１３の上側部１５に向けて押すと、実施例１におけると同様にして、前記スライド部材９の前記下端部４０が前記嵌合凹部７の下端部１８から外れるように、該スライド部材９の下側部１６を前記底部１３から浮き上がらせることができる。該浮き上がり状態における前記上の第１磁性体１０ａ及び前記上の第２磁性体１１ａ相互の磁気吸引力により、該スライド部材９を下方に向けて所要にスライドさせて、図９に示すように、該スライド部材９の下端部分１７を該嵌合凹部７の下端部１８の縁部分１９に乗り上げ状態となし得る。該スライド部材９の該乗り上げ状態は、該上の第１磁性体１０ａ及び該上の第２磁性体１１ａ相互の磁気吸引力を以て保持させることができる。
【００４６】
そして図５に示すと同様にして、該乗り上げ状態にある該スライド部材９は箸置き２０を形成するので、該乗り上げ状態のスライド部材９を下向きにしてその外方部４２をテーブル面等の設置面４３に載置すると、図１０に示すように、前記箸本体２の前記食い先５を該設置面４３から浮き上がった状態となし得る。
【００４７】
該箸置き２０が不要の際は、例えば該箸１を用いて食事をする際は、前記乗り上げ状態にある前記スライド部材９の前記下端部４０を、図９に矢印で示すように上方に向けて押すと、該スライド部材９が上方に向けてスライドして前記嵌合凹部７に嵌合状態となり、図８に示すように、該嵌合状態は前記のように保持される。
【実施例３】
【００４８】
本発明は、前記実施例で示したものに限定されるものでは決してなく、「特許請求の範囲」の記載内で種々の設計変更が可能であることはいうまでもない。その一例を挙げれば次のようである。
【００４９】
(1) 図１１〜１４は、前記スライド部材９が前記嵌合凹部７に嵌合された状態で該スライド部材９の上側部１２を該嵌合凹部７の底部１３の上側部１５に向けて押すことにより該スライド部材９を下方に向けてスライドさせ得るように、該嵌合凹部７の底部１３の上側部１５と該スライド部材９の前記内方部２１の上側部２２との間に押し込み用間隙２３を設ける場合における、該押し込み用間隙２３の他の構成を示すものである。
【００５０】
図１１においては、該押し込み用間隙２３を、前記嵌合凹部７の前記底部１３の上側部１５に設けた間隙形成用傾斜面６２を以て構成するのとは逆に、前記スライド部材９の前記内方部２１の上側部分７５を、その内方端７６からその外方端７７に向けて外方側に傾斜する間隙形成用傾斜面６２として構成した場合を示している。この場合も、前記スライド部材９の上側部１２を前記嵌合凹部７の底部１３の上側部１５に向けて押すと、図１１（Ｂ）に示すように、前記スライド部材９の前記下端部４０が前記嵌合凹部７の下端部１８から外れるように、該スライド部材９の下側部分１６を該底部１３から浮き上がらせることができる。該浮き上がり状態における前記上の第１磁性体１０ａ及び前記上の第２磁性体１１ａ相互の磁気吸引力により、該スライド部材９を下方に向けてスライドさせて該スライド部材９の下端部分１７を前記嵌合凹部７の下端部１８の縁部分１９に乗り上げ状態となし得る。
【００５１】
図１２は、前記底部１３の前記底面３１の上側部分６１と前記スライド部材９の前記内方部２１の上側部分２２の双方を間隙形成用傾斜面６２，６２として構成した場合を示している。又図１３は、前記押し込み用間隙２３を構成するに際し、前記嵌合凹部７の前記底面３１の上側部分６１に窪み部７９を設けた場合を示しており、又図１４は、前記押し込み用間隙２３を構成するに際し、前記スライド部材９の内方部２１の上側部分２２を欠切部８０として構成した場合を示している。これらの場合も前記と同様にして、該スライド部材９の上側部１２を前記嵌合凹部７の底部１３の上側部１５に向けて押すことにより、図１３（Ｂ）、図１４（Ｂ）に示すように、前記上の第１磁性体１０ａ及び前記上の第２磁性体１１ａ相互の磁気吸引力により、該スライド部材９を下方に向けて所要にスライドさせることができる。
【００５２】
前記嵌合凹部７の前記底部１３に設ける前記間隙形成用傾斜面６２や、前記スライド部材９の内方部２１に設ける前記間隙形成用傾斜面６２の傾斜角度、又、前記窪み部７９や前記欠切部８０の長さや幅及び深さは、前記スライド部材９を前記のように所要にスライドさせ得る限り所要に設定できる。これらの構成は、以下に述べる各実施例においても同様である。
【００５３】
(2) 図１５は、前記スライド部材９を前記嵌合凹部７に嵌合させた状態における該スライド部材９の保持力をより高めるために、前記下の第１磁性体１０ｂと前記下の第２磁性体１１ｂに加えて、相互に磁気吸引される中間の第１磁性体１０ｃと中間の第２磁性体１１ｃを具える如く構成した場合を示すものである。例えば、中間の第１磁性体１０ｃを前記嵌合凹部７の前記底部１３の上下方向長さの略中央部位に設けると共に、該中間の第２磁性体１１ｃを前記スライド部材９の前記内方部２１の上下方向長さの中央部位に設ける構成を採用できる。
【００５４】
又図１６は、前記スライド部材９のスライドをより円滑に行わせるために、上下方向で見て互いに離間状態にある前記上の第１磁性体１０ａと前記上の第２磁性体１１ａの組に加えて、その稍下方に位置させて、上下方向で見て互いに離間状態ある中間の第１磁性体１０ｃと中間の第２磁性体１１ｃの組を設けた場合を示している。該スライド部材９が前記嵌合凹部７に嵌合された状態で、該中間の第２磁性体１１ｃが該中間の第１磁性体１０ｃの稍上方に離間して設けられている。この場合、上の第１磁性体１０ａと中間の第２磁性体１１ｃが互いに磁気吸引しないように、磁性体１０ａ，１１ａの組と、磁性体１０ｃ，１１ｃの組との間の間隔を所要に設定するものとする。このように構成する場合は、前記上の第１磁性体１０ａ及び前記上の第２磁性体１１ａ相互の磁気吸引力と、中間の第１磁性体１０ｃ及び中間の第２磁性体１１ｃ相互の磁気吸引力とによって、前記スライド部材９をより円滑に下方に向けて所要にスライドさせることができる。そして、このように二組の磁性体を設ける場合は、前記下の第１磁性体１０ｂと前記下の第２磁性体１１ｂが設けられていない場合であっても、前記スライド部材９を前記嵌合凹部７に嵌合させた状態を、より安定的に保持できることとなる。
【００５５】
又図１７に示すように、上下方向で見て上側と下側の夫々に二組の磁石を設けることとしてもよい。同図においては、実施例１における場合において、図１６に示す場合と同様の要領で、前記上の第１磁性体１０ａと前記上の第２磁性体１１ａとの組の稍下側に位置させて、中間の第１磁性体１０ｃと中間の第２磁性体１１ｃの組が配設されると共に、前記下の第１磁性体１０ｂと前記下の第２磁性体１１ｂとの組の稍上側に位置させて、中間の第１磁性体１０ｄと中間の第２磁性体１１ｄの組が配設されている。このように中間の第１磁性体１０ｃと中間の第２磁性体１１ｃとの組を設けるため、前記上の第１磁性体１０ａ及び前記上の第２磁性体１１ａ相互の磁気吸引力と、中間の第１磁性体１０ｃ及び中間の第２磁性体１１ｃ相互の磁気吸引力とによって、前記スライド部材９をより円滑に下方に向けて所要にスライドさせることができる。又、中間の第１磁性体１０ｄと中間の第２磁性体１１ｄとの組を設けるため、前記スライド部材９を前記嵌合凹部７に嵌合させた状態における該スライド部材９の保持力をより高めることができる。
【００５６】
(3) 実施例１においては前記箸本体２の前記一側面４５の上端側の部分５３を傾斜面５５として形成しているが、図１８（Ａ）においては、該一側面４５に該傾斜面５５を設けていない。本実施例においては、前記嵌合凹部７に前記スライド部材９が嵌合された状態において、該スライド部材９の平滑な外方部４２と前記一側面部４５とが面一状態にある。
【００５７】
この場合においても該スライド部材９の上側部１２を前記嵌合凹部７の底部１３の上側部１５に向けて容易に押すことができるように、該スライド部材９の上側部１２の外方部４２に押圧突部８１を設けている。然して該押圧突部８１を前記底部１３の上側部１５に向けて押せば、前記と同様にして、該スライド部材９を下方に向けて所要にスライドさせて箸置き２０を形成できる。該押圧突部８１は、箸のデザイン性を考慮して、半球状や楕円形状等の所要形態に構成できる。図１８（Ｂ）は、該箸置き２０によって箸１を設置面４３に載置した状態を示しており、前記押圧突部８１が設置面４３に載っている。
【００５８】
(4) 図１９は、前記嵌合凹部７の底部１３に設ける上の第１磁性体１０ａ及び下の第１磁性体１０ｂを磁石３０を以て構成した場合において、その磁極３３を前記底面３１に露出状態とした場合を示している。
【００５９】
又図２０は、前記第１磁性体１０としての磁石３０を前記底面３１で若干突出させた場合を示すものである。この場合は、前記スライド部材９の内方部２１に、該突出部８２を逃がすための、上下方向に延長する溝８３を設ける。図２０においては、第１磁性体１０の磁極３３と第２磁性体１１の磁極３９が離れているが、両磁極３３，３９は接触してもよい。
【００６０】
又図２１は、前記スライド部材９に設けられる磁石３０としての第２磁性体１１を、前記内方部２１で若干突出させた場合を示すものであり、この場合は、前記嵌合凹部７の前記底面３１に、該突出部８５を逃がすための、上下方向に延長する溝８４を設ける。図２１においては、第１磁性体１０の磁極３３と第２磁性体１１の磁極３９が離れているが、両磁極３３，３９は接触してもよい。
【００６１】
(5) 図２２は、前記箸本体２の上側の部分６の横断面形態を円形状に形成した場合を示すものであり、該箸本体２の周方向で見た所要幅部分としての一側面部４５に、上下方向に延長する嵌合凹部７が設けられ該嵌合凹部７にスライド部材９が嵌合されている。図２２（Ｂ）は、図２２（Ａ）におけるａ−ａ断面図であり、図２２（Ｃ）は、図２２（Ａ）におけるｂ−ｂ断面図である。又図２３は、前記箸本体２の上側の部分６の横断面形態を半丸状に形成し、図２４は前記箸本体２の上側の部分６の横断面形態を五角形状に形成した場合を示すものであり、何れの場合も、平坦面を呈する一側面部４５に設けられている嵌合凹部７にスライド部材９が嵌合されている。その他、該上側の部分６の形態は、箸の使用感やデザイン性を考慮して、且つ嵌合凹部７を設けることができるように、各種形態のものとして構成され得る。
【００６２】
(6) 前記スライド部材９の形態は、該スライド部材９が箸置き２０を形成できる限り各種に構成でき、実施例１で示したような前記下端拡張部５０も、必ずしも必要ではない。又、前記内方部２１や前記外方部４２は例えば図７に示すような平滑面として形成される必要はない。その一例として挙げる図２５に示す箸１にあっては、前記下面部２１が半円弧状突面に形成されており、前記嵌合凹部７の底面３１は、これに合わせて半円弧状凹面として形成されている。又前記外方部４２は、両側部分が四分割円弧状を呈する台形状面として形成されている。
【００６３】
(7) 前記第１磁性体１０と前記第２磁性体１１は、前記のようにネオジウム磁石等の磁石を用いて構成することができる他、該第１磁性体１０及び該第２磁性体１１の何れか一方を磁石とし、他方を、これと磁気吸引し得る鉄片、ニッケル片等の、磁石を除く磁性金属片としてもよい。
【００６４】
(8) 前記スライド部材９を前記のように所要にスライドさせることができる限り、又、前記スライド部材９を前記嵌合凹部７に嵌合された状態で保持できる限り、前記第１磁性体１０と前記第２磁性体１１の配置状態や、磁性体の種類やその形状や大きさは自由に設定できる。
【符号の説明】
【００６５】
１  箸
２  箸本体
３  下側の部分
５  食い先
６  上側の部分
７  嵌合凹部
９  スライド部材
１０  第１磁性体
１１  第２磁性体
１２  上側部
１３  底部
１５  上側部
１６  下側部
１７  下端部分
１８  下端部
１９  縁部分
２０  箸置き
２１  内方部
２２  上側部分
２３  押し込み用間隙
２５  上端側
２６  下端側
２７  上端側
２９  下端側
３０  磁石
３１  底面
３２  外面
４０  下端部
４２  外方部
４３  設置面
４５  一側面部
４９  張り出し片部
５０  下端拡張部
５５  傾斜面
６１  上側部分
６２  間隙形成用傾斜面
【要約】
【課題】箸置き形成操作を、箸を持った手の指によるワンタッチ操作で簡易に行うことができ、箸置き形成操作を食事中においてもスマートに行うことを可能とする箸を提供する。
【解決手段】箸本体２の下側の部分に食い先５を有し上側の部分に嵌合凹部７を有する。嵌合凹部７にスライド部材９が嵌合可能となされている。嵌合凹部側に第１磁性体１０が設けられ、スライド部材側に第２磁性体１１が設けられている。スライド部材９が嵌合凹部７に嵌合された状態でスライド部材９の上側部１２を嵌合凹部７の底部の上側部１５に向けて押すと、第１磁性体１０及び第２磁性体１１相互の磁気吸引力によりスライド部材９を下方に向けてスライドさせ、スライド部材９の下端部分１７を嵌合凹部７の下端部８の縁部分１９に乗り上げ状態となし得る。これにより、箸置き２０を形成できる。
【選択図】図４【図１】
0006025234.tif 000002
【図２】
0006025234.tif 000003
【図３】
0006025234.tif 000004
【図４】
0006025234.tif 000005
【図５】
0006025234.tif 000006
【図６】
0006025234.tif 000007
【図７】
0006025234.tif 000008
【図８】
0006025234.tif 000009
【図９】
0006025234.tif 000010
【図１０】
0006025234.tif 000011
【図１１】
0006025234.tif 000012
【図１２】
0006025234.tif 000013
【図１３】
0006025234.tif 000014
【図１４】
0006025234.tif 000015
【図１５】
0006025234.tif 000016
【図１６】
0006025234.tif 000017
【図１７】
0006025234.tif 000018
【図１８】
0006025234.tif 000019
【図１９】
0006025234.tif 000020
【図２０】
0006025234.tif 000021
【図２１】
0006025234.tif 000022
【図２２】
0006025234.tif 000023
【図２３】
0006025234.tif 000024
【図２４】
0006025234.tif 000025
【図２５】
0006025234.tif 000026
【図２６】
0006025234.tif 000027